(57)【要約】【課題】ストレート飲料と当該ストレート飲料に添加物が混合された混合飲料との容量差をなくす又は小さくするカップ式自動販売機及びカップ式自動販売機の飲料調理方法を提供する。【解決手段】ストレート飲料又は当該ストレート飲料に砂糖、クリーム等の添加物を混合した混合飲料を販売するカップ式自動販売機において、ストレート飲料に対して、ストレート飲料及び混合飲料の容量差の範囲内となる希釈液を増量して販売するための販売手段、を備えたことを特徴とする。【選択図】    図３
2005056108.tif 000002
【特許請求の範囲】
【請求項１】
ストレート飲料又は当該ストレート飲料に砂糖、クリーム等の添加物を混合した混合飲料を販売するカップ式自動販売機において、
前記ストレート飲料に対して、前記ストレート飲料及び前記混合飲料の容量差の範囲内となる希釈液を増量して販売するための販売手段、
を備えたことを特徴とするカップ式自動販売機。
【請求項２】
前記販売手段が前記ストレート飲料に前記希釈液を増量する動作を許可又は禁止するための制御手段を、備えたことを特徴とする請求項１記載のカップ式自動販売機。
【請求項３】
前記制御手段は、前記ストレート飲料と前記混合飲料とが販売される割合に応じて、前記販売手段が前記ストレート飲料に前記希釈液を増量する動作を許可又は禁止することを特徴とする請求項２記載のカップ式自動販売機。
【請求項４】
前記制御手段は、前記ストレート飲料に前記混合飲料が割り当てられている場合、前記販売手段が前記ストレート飲料に前記希釈液を増量する動作を許可することを特徴とする請求項２又は３記載のカップ式自動販売機。
【請求項５】
ストレート飲料又は当該ストレート飲料に砂糖、クリーム等の添加物を混合した混合飲料を販売するカップ式自動販売機の飲料調理方法において、
前記ストレート飲料に対して、前記ストレート飲料及び前記混合飲料の容量差の範囲内となる希釈液を増量して販売すること、
を特徴とするカップ式自動販売機の飲料調理方法。
【発明の詳細な説明】
【技術分野】
【０００１】
本発明は、ストレート飲料又は当該ストレート飲料に砂糖、クリーム等の添加物を混合した混合飲料を販売するカップ式自動販売機及びカップ式自動販売機の飲料調理方法に関する。
【背景技術】
【０００２】
カップ内にブラックコーヒーやストレートティー等のストレート飲料を供給して販売するカップ式自動販売機がある。ここで、ブラックコーヒーやストレートティー等は、それぞれ挽き豆やリーフ等に湯を供給し抽出して販売したり、粉末コーヒーや粉末紅茶を湯に溶いて販売したりする。また、このようなカップ式自動販売機には、カップ内に砂糖、クリーム等を添加し当該添加物とストレート飲料とをカップ内で混合することによって混合飲料を調理し販売するものがある。
【特許文献１】特開２００１−１６７３３４号公報
【発明の開示】
【発明が解決しようとする課題】
【０００３】
しかしながら、上記したストレート飲料と混合飲料とが共に販売可能なカップ式自動販売機において当該混合飲料を販売する場合、単品として販売可能な当該ストレート飲料に対して砂糖、クリーム等の添加物を混合していた。これにより、混合飲料の容量がストレート飲料の容量に比べて添加物の分だけ多くなる場合が生じる。このような容量の差は、飲料１杯分の容量が多い場合にはより顕著となる。例えば、ブラックコーヒーに混合されるべき砂糖、クリーム等の量が当該ブラックコーヒーの容量に対して一定の比率を有するものである場合、当該ブラックコーヒー１杯分の絶対的な容量が多くなるに従って、当該砂糖、クリーム等の絶対的な量も多くなる。添加物の量が多くなれば、当該添加物が混合された混合飲料の容量と当該添加物を混合する前のストレート飲料の容量との差もより大きなものとなり、当該容量差は例えば自動販売機の利用者が目視にて認識可能なものとなる恐れがある。
【０００４】
上記した容量差によって、例えば、利用者は自動販売機の故障に由来するものと誤認する恐れがある。利用者がこのような誤認をすれば、自動販売機の特にストレート飲料の販売量が低下する恐れがある。また、上記した容量差によって、利用者の自動販売機に対する心証が悪くなる恐れもある。これらは何れも自動販売機の売上の低下につながる恐れがある。
【０００５】
そこで、本発明は、ストレート飲料と当該ストレート飲料に添加物が混合された混合飲料との容量差をなくす又は小さくするカップ式自動販売機及びカップ式自動販売機の飲料調理方法を提供することを目的とする。
【課題を解決するための手段】
【０００６】
前記課題を解決するための発明は、ストレート飲料又は当該ストレート飲料に砂糖、クリーム等の添加物を混合した混合飲料を販売するカップ式自動販売機において、前記ストレート飲料に対して、前記ストレート飲料及び前記混合飲料の容量差の範囲内となる希釈液を増量して販売するための販売手段、を備えたことを特徴とする。このカップ式自動販売機によれば、販売手段は、ストレート飲料に対して当該ストレート飲料及び混合飲料の容量差の範囲内で希釈液を増量して販売できる。よって、ストレート飲料の容量が混合飲料の容量に対して例えば添加物の分だけ少ないとき、当該ストレート飲料の容量を増やし、例えば当該混合飲料の容量と同じにして販売できる。このようにすれば、例えばカップ式自動販売機の利用者が前記容量差を当該カップ式自動販売機の故障に由来するものと誤認する恐れを回避できる。従って、カップ式自動販売機の特にストレート飲料の販売量低下の恐れを回避できる。また、前記利用者のカップ式自動販売機に対する心証の悪化の恐れも回避できる。
【０００７】
また、かかるカップ式自動販売機において、前記販売手段が前記ストレート飲料に前記希釈液を増量する動作を許可又は禁止するための制御手段を、備えたことを特徴とする。このカップ式自動販売機によれば、例えば当該カップ式自動販売機の設置ロケーションに依存したストレート飲料及び混合飲料の販売の割合に応じて、制御手段によって販売手段の希釈液の増量の動作を許可又は禁止できる。つまり、ストレート飲料の販売数が混合飲料の販売数より少ない傾向にある設置ロケーションのカップ式自動販売機においては、制御手段によって販売手段の希釈液の増量の動作を禁止しておけば、当該販売手段の動作を簡単なものとできる。一方、ストレート飲料の販売数が混合飲料の販売数に比べて同じ又は多い傾向にある設置ロケーションのカップ式自動販売機においては、制御手段によって販売手段の希釈液の増量の動作を許可しておけば、当該ストレート飲料の容量を増やして例えば当該混合飲料の容量と同じにして販売できる。よって、カップ式自動販売機の販売手段の動作をできるだけ簡素化しつつ、例えば当該カップ式自動販売機の利用者からの前記容量差に対する不満等を回避できる。
【０００８】
また、かかるカップ式自動販売機において、前記制御手段は、前記ストレート飲料と前記混合飲料とが販売される割合に応じて、前記販売手段が前記ストレート飲料に前記希釈液を増量する動作を許可又は禁止することを特徴とする。このカップ式自動販売機によれば、例えば所定時間においてストレート飲料の販売の割合が混合飲料の販売の割合に比べて小さい場合、制御手段によって販売手段の希釈液の増量の動作を禁止し、当該販売手段の動作を簡単なものとできる。一方、例えば所定時間においてストレート飲料の販売の割合が混合飲料の販売の割合に比べて同じ又は多い場合、制御手段によって販売手段の希釈液の増量の動作を許可し、当該ストレート飲料の容量を増やして例えば当該混合飲料の容量と同じにして販売できる。よって、カップ式自動販売機の販売手段の動作を例えば当該カップ式自動販売機の利用者の購買傾向に迅速に対応させつつ、当該利用者からの前記容量差に対する不満等を回避できる。
【０００９】
また、かかるカップ式自動販売機において、前記制御手段は、前記ストレート飲料に前記混合飲料が割り当てられている場合、前記販売手段が前記ストレート飲料に前記希釈液を増量する動作を許可することを特徴とする。このカップ式自動販売機によれば、ストレート飲料に混合飲料が割り当てられ、当該２つの飲料の容量差が生じる恐れがある場合には、制御手段によって販売手段の希釈液の増量の動作を許可し、当該ストレート飲料の容量を増やして例えば当該混合飲料の容量と同じにして販売できる。よって、例えばカップ式自動販売機の利用者からの前記容量差に対する不満等を回避できる。
【００１０】
更に、ストレート飲料又は当該ストレート飲料に砂糖、クリーム等の添加物を混合した混合飲料を販売するカップ式自動販売機の飲料調理方法において、前記ストレート飲料に対して、前記ストレート飲料及び前記混合飲料の容量差の範囲内となる希釈液を増量して販売することも実現可能である。
【発明の効果】
【００１１】
本発明によれば、ストレート飲料と当該ストレート飲料に添加物が混合された混合飲料との容量差をなくす又は小さくするカップ式自動販売機及びカップ式自動販売機の飲料調理方法を提供できる。
【発明を実施するための最良の形態】
【００１２】
＝＝＝カップ式自動販売機の構成＝＝＝
図１を参照しつつ、本実施の形態のカップ式自動販売機の前面構成について説明する。同図は、本実施の形態のカップ式自動販売機の前面構成例である。
【００１３】
前面扉２は、自動販売機の例えば右側端の支軸を中心に回動し、開閉するものである。即ち、前面扉２は、カップ飲料を調理するときに必要となる、希釈水、粉末原料、砂糖、クリーム等の混合割合等のデータ設定や、販売機構部のメンテナンスを行うときは解錠して開き、通常販売を行うときは施錠して閉じるものである。接客パネル４は、複数種類のカップ飲料に関する写真、絵柄、文字等が印刷された樹脂板である。即ち、利用者は、接客パネル４上の様々なカップ飲料の写真、絵柄、文字等を見渡し確認することで、購入希望するカップ飲料を選択できる。尚、複数種類のカップ飲料のサンプルが透明な樹脂板の接客パネル４の背面側に陳列する構成とすることも可能である。
【００１４】
硬貨投入口６は、利用者が硬貨を投入する箇所であり、投入硬貨は、自動販売機内部の硬貨識別装置（不図示）に供給される。紙幣挿入口８は、利用者が紙幣を挿入する箇所であり、挿入紙幣は、自動販売機内部の紙幣識別装置（不図示）に供給される。金額表示部１０は、投入硬貨金額、挿入紙幣金額等を表示するものである。尚、接触型又は非接触型のカードから個人情報、金額情報等を識別するカード識別装置を配設することも可能である。値段ラベル１２は、接客パネル４上において、複数種類のカップ飲料の写真、絵柄、文字等に１対１に対応して配置されるものである。商品選択釦１４は、販売可ランプ（不図示）及び売切ランプ（不図示）を内蔵し、接客パネル４上において、複数種類のカップ飲料の写真、絵柄、文字等に１対１に対応して配置されるものである。
【００１５】
尚、上記した販売可ランプは、利用者が少なくとも１杯のカップ飲料を購入可能な金額の硬貨又は紙幣を供給すると、自動販売機内部に希釈水、粉末原料、コーヒー豆等が貯蔵されている場合のみ、このカップ飲料に該当するものが点灯する。また、上記した売切ランプは、希釈水、粉末原料、コーヒー豆等が１杯のカップ飲料を調理する分量未満の場合のみ、このカップ飲料に該当するものが常時点灯する。粉末原料増量釦１６、砂糖増量釦１８、クリーム増量釦２０、粉末原料減量釦２２、砂糖減量釦２４、クリーム減量釦２６は、１杯のカップ飲料（例えば、コーヒー、紅茶等）に対する混合割合の変更を希望するとき、商品選択釦１４の押下前に押下するものである。嗜好表示部２８は、１杯のカップ飲料に対し、事前に設定された混合割合を基準とする粉末原料、砂糖、クリームの増減の度合を表示するものである。
【００１６】
これにより、利用者が、粉末原料増量釦１６、砂糖増量釦１８、クリーム増量釦２０、粉末原料減量釦２２、砂糖減量釦２４、クリーム減量釦２６を必要に応じて押下し、その後、販売可ランプが点灯している商品選択釦１４を押下すると、この商品選択釦１４に対応するカップ飲料が自動販売機内部の販売機構部（不図示）で調理され、商品取出口３０から販売される。尚、商品取出口３０は、自動又は手動何れの開閉手段で構成してもよい。
【００１７】
返却レバー３６は、投入硬貨自体、投入硬貨又は挿入紙幣からカップ飲料購入金額を減額した釣銭を返却口３８に返却するためのものである。販売中ランプ４０は、販売機構部がカップ飲料を調理して販売できる状態のときに点灯するものである。販売中止ランプ４２は、全カップ飲料に対応する売切ランプが点灯したとき、或いは、販売機構部が故障したとき、点灯するものである。釣銭切ランプ４４は、硬貨識別装置内部に貯蔵される釣銭用の硬貨の合計金額が一定金額以下となったときに点灯するものである。尚、販売中ランプ４０、販売中止ランプ４２、釣銭切ランプ４４は、金額表示部１０の基板上に配設されることとするが、利用者が容易に確認できる如何なる位置であってもよい。
【００１８】
図２を参照しつつ、本発明にかかるカップ式自動販売機の販売機構部について説明する。同図は、本実施の形態の販売機構部においてレギュラーコーヒーを販売する部分の概略構成例を示す図である。本実施の形態の販売機構部は、主として、レギュラーコーヒー抽出装置１０１、湯タンク１０３、ミキシングボール１１７、砂糖容器１１９、及びクリーム容器１２１から構成される。
【００１９】
レギュラーコーヒー抽出装置１０１は、挽き豆と湯（希釈液）とを収容するための適宜なシリンダ（不図示）、当該シリンダ（不図示）内の空間を密閉するための適宜なピストン（不図示）、挽き豆と湯とからレギュラーコーヒーを濾過するための適宜なフィルタ（不図示）等からなる。また、このレギュラーコーヒー抽出装置１０１のシリンダ（不図示）の開口部には、適宜な容器（不図示）に収容されたコーヒー豆を挽くためのコーヒーミル１１１が隣接するように配設されている。これらの構成により、レギュラーコーヒー抽出装置１０１は、コーヒーミル１１１から供給される挽き豆と、湯タンク１０３からポンプ１１３及び電磁弁１１４を介して湯供給管１１５を通じて供給される湯とからレギュラーコーヒーを抽出し、電磁弁１０４を介してコーヒー供給管１０５に供給するものである。
【００２０】
ミキシングボール１１７は、ブラックのレギュラーコーヒー（ストレート飲料）に対して、砂糖容器１１９から供給される砂糖（添加物）、及び／又は、クリーム容器１２１から供給される粉末状をなすクリーム（添加物）を混合するためのものである。尚、ミキシングボール１１７にて砂糖及び／又はクリームと混合され調理された砂糖及び／又はクリーム入りレギュラーコーヒー（混合飲料）は、ミキシングボール１１７の下流に設けられた電磁弁１２３を介し供給管１２５を通じてカップ１２７に供給されるようになっている。また、ブラックのレギュラーコーヒーも、ミキシングボール１１７、電磁弁１２３、及び供給管１２５を経由してカップ１２７に供給されるようになっている。
【００２１】
本実施の形態の販売機構部においては、ポンプ１１３の下流において湯供給管１１５から分岐して増量用電磁弁１３１を介し増量用供給管１３３が設けられており、当該増量用供給管１３３は上記した供給管１２５とともにカップ１２７の開口部に至っている。後述するように、この増量用電磁弁１３１を所定時間開放しポンプ１１３を駆動することによって、増量用供給管１３３を通じて、ブラックのレギュラーコーヒーに対して所定量の湯を増量するようになっている。尚、本実施の形態においては、後述する湯増量のためのラインの構成をレギュラーコーヒーの供給のためのラインの構成と別のものとしたが、これに限定されるものではない。例えば、湯増量をレギュラーコーヒーの供給のためのラインから適宜行ってもよい。
【００２２】
図３を参照しつつ、本発明にかかるカップ式自動販売機における後述する湯増量設定動作及びレギュラーコーヒー販売動作の制御について説明する。同図は、例えば管理者による湯増量設定動作、及び例えば利用者へのレギュラーコーヒー販売動作の制御構成例を示す図である。
【００２３】
主制御部２０１は、カップ式自動販売機の制御を統括するものであり、ＣＰＵ２０３、ＲＯＭ２０５、ＲＡＭ２０７、タイマ２０９、カウンタ２１１等を有するものである。換言すると、主制御部２０１は、マイクロコンピュータを中心として動作するものである。ＲＯＭ２０５は、例えば、ブラックのレギュラーコーヒーに対する後述する湯増量の許可又は禁止を判断し販売制御部２１２に当該湯増量を実施させる等の適宜なプログラムを記憶するものである。ＣＰＵ２０３は、ＲＯＭ２０５から読み出されたプログラムデータの解読結果に従って、複数の従制御部を総括制御するものである。ＲＡＭ２０７は、例えば、ブラックのレギュラーコーヒーの砂糖及び／又はクリーム入りレギュラーコーヒーに対する後述する販売の割合等のデータを記憶するものである。カウンタ２１１は、例えば、ブラックのレギュラーコーヒーの販売数と砂糖及び／又はクリーム入りレギュラーコーヒーの販売数とを後述するように所定時間だけ計数するためのものである。ところで、ハードウェア面では、ＲＯＭ２０５は、データを製造工程で焼き付け固定するマスクＲＯＭ、データを紫外線消去することにより当該データを繰り返し書き込み読み出しできるＥＰＲＯＭ（フラッシュＲＯＭを含む）等の不揮発性メモリである。また、ＲＡＭ２０７は、ＳＲＡＭ等の不揮発性メモリであり、バックアップ電源を用いてデータを保持する。
【００２４】
販売制御部２１２は、販売機構部１００を制御するものである。この販売機構部１００は、例えば、所定時間だけポンプ１１３（図２）を駆動し増量用電磁弁１３１（図２）を開放し、後述する湯の増量を行うものである。
【００２５】
入出力制御部２１３は、例えば管理者が、ブラックのレギュラーコーヒーに対する後述する湯増量の許可又は禁止や、ブラックのレギュラーコーヒーの砂糖及び／又はクリーム入りレギュラーコーヒーに対する割り当て等のデータを入力するためのキーボード２１５ａを有し、当該入力結果を適宜表示するためのディスプレイ２１５ｂを有するコントロールパネル２１５を制御するものである。
【００２６】
＝＝＝カップ式自動販売機の湯増量設定動作＝＝＝
図４及び図５を参照しつつ、本発明にかかるカップ式自動販売機における湯増量設定動作について説明する。図４は、例えば管理者が湯増量設定を行う際の主制御部２０１（図３）による処理の流れを示すフローである。図５は、湯増量設定動作においてディスプレイ２１５ｂ（図３）に表示されるメニュー画面例を示す図である。
【００２７】
先ず、主制御部２０１は、コントロールパネル２１５（図３）のキーボード２１５ａ（図３）において商品選択釦設定の旨が入力されたか否かを適時判別している（Ｓ１０１）。もし、主制御部２０１が、入出力制御部２１３（図３）から商品選択釦設定の旨の信号が入力されたものと判別すると（Ｓ１０１：ＹＥＳ）、当該主制御部２０１は、ディスプレイ２１５ｂに、図５（ａ）に示される商品選択釦設定メニューを表示させる（Ｓ１０３）。一方、商品選択釦設定の旨の信号が入力されていないものと判別すると（Ｓ１０１：ＮＯ）、主制御部２０１は上記した判別を継続する（Ｓ１０１）。
【００２８】
図５（ａ）に示されるように、商品選択釦設定メニュー画面においては、各商品選択釦１４（図３）は“０１”等の連番号によって特定されており、当該各選択釦１４に対して、“５０１”等の番号で特定される飲料が対応している。本実施の形態の商品選択釦設定メニューにおいては、各商品選択釦１４に対してデフォルトで飲料が割り当てられているものとする。但し、これに限定されるものではなく、例えば管理者が各商品選択釦１４に対して飲料を特定する所定の番号を入力するものであってもよい。また、本実施の形態の商品選択釦設定メニューにおいては、例えばレギュラーコーヒーに関するデータを設定すべく適宜なキー操作によって当該レギュラーコーヒーに相当する番号“５０１”を選択できるようになっている。
【００２９】
主制御部２０１は、コントロールパネル２１５のキーボード２１５ａにおいてレギュラーコーヒー選択の旨が入力されたか否かを適時判別している（Ｓ１０５）。もし、主制御部２０１が、入出力制御部２１３からレギュラーコーヒー選択の旨の信号が入力されたものと判別すると（Ｓ１０５：ＹＥＳ）、当該主制御部２０１は、ディスプレイ２１５ｂに、図５（ｂ）に示されるデータ設定メニューを表示させる（Ｓ１０７）。一方、レギュラーコーヒー選択の旨の信号が入力されていないものと判別すると（Ｓ１０５：ＮＯ）、主制御部２０１は上記した判別を継続する（Ｓ１０５）。
【００３０】
図５（ｂ）に示されるように、データ設定メニュー画面においては、ブラック、砂糖入り、クリーム入り、並びに砂糖及びクリーム入りの４種類のレギュラーコーヒーについて、価格（円）、豆の量（ｇ）、及び湯量（ｍｌ）が対応付けられているものとする。また、砂糖の量（ｇ）は、砂糖入りレギュラーコーヒーと砂糖及びクリーム入りレギュラーコーヒーとにおける砂糖の量に対応付けられるようになっており、クリームの量（ｇ）は、クリーム入りレギュラーコーヒーと砂糖及びクリーム入りレギュラーコーヒーとにおけるクリームの量に対応付けられるようになっているものとする。更に、湯増量Ｉ（ｍｌ）は、ブラックのレギュラーコーヒーにおける後述する湯の増量に対応付けられるようになっているものとする。本実施の形態のデータ設定メニューにおいては、価格、豆の量、湯量、砂糖の量、クリームの量、湯増量等に対してデフォルトでデータが対応付けられているものとする。特に、湯増量に対しては、砂糖及びクリームの比重を１と仮定して得られる当該砂糖及びクリームの容量がデフォルトで対応付けられているものとする。つまり、図５（ｂ）に示される例によれば、砂糖及びクリームの総重量が７．２ｇ（＝６．０ｇ＋１．２ｇ）であるため、当該砂糖及びクリームの総容量の概算値は７．２ｍｌとなり、よって湯増量Ｉに対しても７．２ｍｌが対応付けられている。但し、これに限定されるものではなく、例えば管理者が各データを入力するものであってもよい。ここで、本実施の形態のデータ設定メニューにおいては、適宜なキー操作によって湯増量Ｉのデータを設定できるようになっている。尚、本実施の形態においては、湯増量Ｉは、砂糖及びクリームの容量に対応して設定されているが、例えば砂糖のみの容量に対応して設定されてもよいし、クリームのみの容量に対応して設定されてもよい。要するに、湯増量Ｉは、ブラックのレギュラーコーヒーの容量との差を生ぜしめる添加物の容量に対応させればよい。
【００３１】
もし、管理者によって湯増量Ｉ（ｍｌ）のデータとして０が入力されたことを主制御部２０１が判別すると（Ｓ１０９：Ｉ＝０）、当該主制御部２０１は、ディスプレイ２１５ｂに適宜な終了メニュー（不図示）を表示させ（Ｓ１１１）、湯増量設定動作を終了させる。尚、本実施の形態においては、後述するように、湯増量Ｉ＝０は湯の増量動作を禁止することと等しいものとする。
【００３２】
一方、管理者によって湯増量Ｉ（ｍｌ）のデータとして０より大きな数字が入力されたことを主制御部２０１が判別すると（Ｓ１０９：Ｉ＞０）、当該主制御部２０１は、ディスプレイ２１５ｂに、図５（ｃ）に示される湯増量設定メニューを表示させる（Ｓ１１３）。
【００３３】
図５（ｃ）に示されるように、湯増量設定メニュー画面においては、適宜なキー操作によって以下の３つの場合（ケースＸ、ケースＹ、及びケースＺ）の何れか１つが選択可能となっている。ここで、ケースＸは、後述するブラックのレギュラーコーヒーの販売の割合の基準値Ｒ（０＜Ｒ＜１）のデータを入力し、当該販売の割合の当該基準値Ｒに対する大小に応じて湯増量を禁止又は許可する旨の選択肢である。また、ケースＹは、ブラックのレギュラーコーヒーに砂糖及び／又はクリーム入りレギュラーコーヒーが割り当てられているときには湯増量を許可し、当該割り当てがない場合には当該湯増量を禁止する旨の選択肢である。また、ケースＺは、常時湯増量を許可する旨の選択肢である。
【００３４】
もし、管理者によってケースＸにおいてブラックのレギュラーコーヒーの販売の割合の基準値Ｒが入力されたことを主制御部２０１が判別すると（Ｓ１１５：Ｘ）、当該主制御部２０１は、当該基準値ＲをＲＡＭ２０７（図３）に記憶させるとともに（Ｓ１１７）、ディスプレイ２１５ｂに適宜な終了メニュー（不図示）を表示させ（Ｓ１１９）、湯増量設定動作を終了させる。また、もし、管理者によってケースＹが選択されたことを主制御部２０１が判別すると（Ｓ１１５：Ｙ）、当該主制御部２０１は、ディスプレイ２１５ｂに適宜な終了メニュー（不図示）を表示させ（Ｓ１２１）、湯増量設定動作を終了させる。また、もし、管理者によってケースＺが選択されたことを主制御部２０１が判別すると（Ｓ１１５：Ｚ）、当該主制御部２０１は、ディスプレイ２１５ｂに適宜な終了メニュー（不図示）を表示させ（Ｓ１２３）、湯増量設定動作を終了させる。
【００３５】
＝＝＝カップ式自動販売機の販売動作＝＝＝
図６を参照しつつ、本発明にかかるカップ式自動販売機におけるレギュラーコーヒー販売動作について説明する。図６は、例えば利用者にレギュラーコーヒーを販売する際の主制御部２０１による処理の流れを示すフローである。
【００３６】
主制御部２０１は、商品選択釦１４がオンされているか否かを適時判別している（Ｓ２０１）。商品選択釦１４がオンでないものと判別すると（Ｓ２０１：ＮＯ）、主制御部２０１はこのような判別を継続する（Ｓ２０１）。
【００３７】
もし、商品選択釦１４がオンであると判別すれば（Ｓ２０１：ＹＥＳ）、当該オンされた商品選択釦１４がブラックのレギュラーコーヒーの釦１４ａ（図３）である場合には（Ｓ２０３：ＹＥＳ）、主制御部２０１は、前述した、Ｉ＝０（Ｓ１１１）、ケースＸ（Ｓ１１９）、ケースＹ（Ｓ１２１）、及びケースＺ（Ｓ１２３）の何れが選択されているかを判別する（Ｓ２０５）。一方、オンされた商品選択釦１４がブラックのレギュラーコーヒーの釦１４ａでない場合には（Ｓ２０３：ＮＯ）、主制御部２０１は、販売機構部１００（図３）に対して適宜な信号を送信し、例えば商品選択釦１４ｂ、１４ｃ、１４ｄに対応付けられた飲料を販売させる（Ｓ２０４）。
【００３８】
＜＜＜Ｉ＝０＞＞＞
Ｉ＝０が選択されていたことを判別した場合（Ｓ２０５：ＹＥＳ）、主制御部２０１は、レギュラーコーヒーの販売動作において湯の増量を禁止する（Ｓ２０７）。つまり、販売機構部１００は、ブラックのレギュラーコーヒーを販売する際には増量用電磁弁１３１を開放しない旨の適宜なプログラムに基づいて動作する。尚、この適宜なプログラムは、ＲＯＭ２０５に記憶されている。
【００３９】
＜＜＜ケースＸ＞＞＞
ケースＸが選択されていたことを判別した場合（Ｓ２０５：ＮＯ及びＳ２０９：ＹＥＳ）、主制御部２０１は、前述した基準値ＲをＲＡＭ２０７から読み出すとともに（Ｓ２１１）、後述する割合ＮＢ／（ＮＢ＋ＮＳ＋ＮＣ＋ＮＭ）をＲＡＭ２０７から読み出し（Ｓ２１３）、当該基準値Ｒと当該割合ＮＢ／（ＮＢ＋ＮＳ＋ＮＣ＋ＮＭ）との大小を判別する（Ｓ２１５）。ここで、ＮＢはブラックのレギュラーコーヒーの販売数を表し、ＮＳは砂糖入りレギュラーコーヒーの販売数を表し、ＮＣはクリーム入りレギュラーコーヒーの販売数を表し、ＮＭは砂糖及びクリーム入りレギュラーコーヒーの販売数を表す。これらの販売数は、主制御部２０１が各レギュラーコーヒーの販売毎にカウンタ２１１（図３）に例えば２４時間計数させ、当該計数結果をテーブルデータとしてＲＡＭ２０７に適宜記憶させたものである。上記した２４時間はタイマ２０９（図３）によって計時されたものである。
【００４０】
割合ＮＢ／（ＮＢ＋ＮＳ＋ＮＣ＋ＮＭ）が基準値Ｒよりも大きいと判別した場合（Ｓ２１５：割合＞Ｒ）、主制御部２０１は、レギュラーコーヒーの販売動作において湯の増量を許可する（Ｓ２１７）。つまり、販売機構部１００は、ブラックのレギュラーコーヒーをカップに供給後に所定時間だけ増量用電磁弁１３１を開放しポンプ１１３を駆動する旨の適宜なプログラムに基づいて動作する。尚、この適宜なプログラムは、ＲＯＭ２０５に記憶されている。
【００４１】
割合ＮＢ／（ＮＢ＋ＮＳ＋ＮＣ＋ＮＭ）が基準値Ｒ以下であると判別した場合（Ｓ２１５：割合≦Ｒ）、主制御部２０１は、レギュラーコーヒーの販売動作において湯の増量を禁止する（Ｓ２１９）。つまり、販売機構部１００は、ブラックのレギュラーコーヒーを販売する際には増量用電磁弁１３１を開放しない旨の適宜なプログラムに基づいて動作する。尚、この適宜なプログラムは、ＲＯＭ２０５に記憶されている。
【００４２】
＜＜＜ケースＹ＞＞＞
ケースＹが選択されていたことを判別した場合（Ｓ２０５：ＮＯ、Ｓ２０９：ＮＯ及びＳ２２１：ＹＥＳ）、主制御部２０１は、前述した商品選択釦１４と飲料とが対応付けられた適宜なテーブルデータをＲＡＭ２０７から読み出し（Ｓ２２３）、ブラックのレギュラーコーヒーに対して砂糖及び／又はクリーム入りレギュラーコーヒーが割り当てられているか否かを判別する（Ｓ２２５）。ここで、上記した適宜なテーブルデータの内容とは、例えば図５（ａ）に示されるメニュー画面の内容に等しい。
【００４３】
割り当てられていると判別した場合（Ｓ２２５：ＹＥＳ）、主制御部２０１は、レギュラーコーヒーの販売動作において湯の増量を許可する（Ｓ２２７）。つまり、販売機構部１００は、ブラックのレギュラーコーヒーをカップに供給後に所定時間だけ増量用電磁弁１３１を開放しポンプ１１３を駆動する旨の適宜なプログラムに基づいて動作する。尚、この適宜なプログラムは、ＲＯＭ２０５に記憶されている。
【００４４】
割り当てられていないと判別した場合（Ｓ２２５：ＮＯ）、主制御部２０１は、レギュラーコーヒーの販売動作において湯の増量を禁止する（Ｓ２２９）。つまり、販売機構部１００は、ブラックのレギュラーコーヒーを販売する際には増量用電磁弁１３１を開放しない旨の適宜なプログラムに基づいて動作する。尚、この適宜なプログラムは、ＲＯＭ２０５に記憶されている。
【００４５】
＜＜＜ケースＺ＞＞＞
ケースＺが選択されていたことを判別した場合（Ｓ２０５：ＮＯ、Ｓ２０９：ＮＯ及びＳ２２１：ＮＯ）、主制御部２０１は、レギュラーコーヒーの販売動作において湯の増量を許可する（Ｓ２３１）。つまり、販売機構部１００は、ブラックのレギュラーコーヒーをカップに供給後に所定時間だけ増量用電磁弁１３１を開放しポンプ１１３を駆動する旨の適宜なプログラムに基づいて動作する。尚、この適宜なプログラムは、ＲＯＭ２０５に記憶されている。
【００４６】
本実施の形態のカップ式自動販売機によれば、ブラックのレギュラーコーヒー（Ｂ）に対して当該Ｂと砂糖及び／又はクリーム入りレギュラーコーヒー（Ｍ）との容量差の範囲内で湯を増量して販売できる。よって、Ｂの容量がＭの容量に対して例えば砂糖及び／又はクリームの分だけ少ないとき、当該Ｂの容量を増やし、例えば当該Ｍの容量と同じにして販売できる。これにより、例えば、利用者が前記容量差を自動販売機の故障に由来するものと誤認する恐れを回避できる。従って、自動販売機の特にブラックのレギュラーコーヒーの販売量低下の恐れを回避できる。また、利用者の自動販売機に対する心証の悪化の恐れも回避できる。
【００４７】
また、本実施の形態のカップ式自動販売機においてケースＺを採用すれば、例えば当該自動販売機の設置ロケーションに依存したブラックのレギュラーコーヒー（Ｂ）と砂糖及び／又はクリーム入りレギュラーコーヒー（Ｍ）との販売の割合に応じて、湯の増量の動作を許可又は禁止できる。つまり、Ｂの販売数がＭの販売数より少ない傾向にある設置ロケーションの自動販売機においては、湯の増量の動作を禁止しておけば販売動作を簡単なものとできる。一方、Ｂの販売数がＭの販売数に比べて同じ又は多い傾向にある設置ロケーションの自動販売機においては、湯の増量の動作を許可しておけば、当該Ｂの容量を増やして例えばＭの容量と同じにして販売できる。よって、自動販売機の販売動作をできるだけ簡素化しつつ、例えば利用者からの前記容量差に対する不満等を回避できる。
【００４８】
更に、本実施の形態のカップ式自動販売機においてケースＸを採用すれば、例えば２４時間以内のブラックのレギュラーコーヒー（Ｂ）の販売の割合が砂糖及び／又はクリーム入りレギュラーコーヒー（Ｍ）の販売の割合に比べて小さい場合、湯の増量の動作を禁止し、販売動作を簡単なものとできる。一方、例えば２４時間以内のＢの販売の割合がＭの販売の割合に比べて同じ又は多い場合、湯の増量の動作を許可し、当該Ｂの容量を増やして例えば当該Ｍの容量と同じにして販売できる。よって、自動販売機の販売動作を例えば利用者の購買傾向に迅速に対応させつつ、当該利用者からの前記容量差に対する不満等を回避できる。
【００４９】
加えて、本実施の形態のカップ式自動販売機においてケースＹを採用すれば、ブラックのレギュラーコーヒー（Ｂ）に砂糖及び／又はクリーム入りレギュラーコーヒー（Ｍ）が割り当てられ、当該２つのレギュラーコーヒーの容量差が生じる恐れがある場合には、湯の増量の動作を許可し、当該Ｂの容量を増やして例えば当該Ｍの容量と同じにして販売できる。よって、例えば利用者からの前記容量差に対する不満等を回避できる。
【００５０】
＝＝＝その他の実施の形態＝＝＝
以上述べた実施の形態は、本発明の理解を容易にするためのものであり、本発明を限定して解釈するためのものではない。本発明は、その趣旨を逸脱することなく変更、改良されるとともに、本発明にはその等価物も含まれる。
【００５１】
前述した実施の形態においては、ブラックのレギュラーコーヒーをストレート飲料としたが、これに限定されるものではない。例えば、ストレート飲料はリーフティーであってもよい。また、砂糖及びクリームを添加物としたが、これに限定されるものではない。
【図面の簡単な説明】
【００５２】
【図１】本実施の形態のカップ式自動販売機の外観構成を示す図である。
【図２】販売機構部におけるレギュラーコーヒーを販売する部分の概略構成例を示す図である。
【図３】湯増量設定動作及び販売動作の制御構成例を示す図である。
【図４】湯増量設定時の主制御部による処理の流れを示すフローである。
【図５】湯増量設定動作におけるメニュー画面例を示す図である。
【図６】販売時の主制御部による処理の流れを示すフローである。
【符号の説明】
【００５３】
４    接客パネル
１４、１４ａ、１４ｂ、１４ｃ、１４ｄ  商品選択釦
１００    販売機構部
１１３    ポンプ
１３１    増量用電磁弁
２０１    主制御部
２０３    ＣＰＵ２
２０５    ＲＯＭ
２０７    ＲＡＭ
２０９    タイマ
２１１    カウンタ
２１２    販売制御部
２１３    入出力制御部
２１５    コントロールパネル
２１５ａ  キーボード
２１５ｂ  ディスプレイ
２１７    接客制御部
【図１】
2005056108.tif 000003
【図２】
2005056108.tif 000004
【図３】
2005056108.tif 000005
【図４】
2005056108.tif 000006
【図５】
2005056108.tif 000007
【図６】
2005056108.tif 000008